(57)【要約】【課題】集塵量の多い電気掃除機用集塵フィルター、およびそれを用いた電気掃除機を提供する。【解決手段】通気性および可撓性を有する樹脂不織布で形成され吸入口７を有する袋状体６と、前記吸入口７に取り付けられ塵埃吸込口８を有する支持板９とを備え、前記袋状体６の後面の一部を溶着して他の部分より剛性が強い溶着部１０を設けたもので、電気掃除機の運転開始時の吸引風によって袋状体６の後面の一部が後方に押されると、溶着部１０により、袋状体６の後面全体が後方に押されて、袋状体６を大きく広げることができ、それにより、より多くの塵埃を集塵できるようになる。【選択図】図２
2008061923.tif 000002
【特許請求の範囲】
【請求項１】
通気性および可撓性を有する樹脂不織布で形成され吸入口を有する袋状体と、前記吸入口に取り付けられ塵埃吸込口を有する支持板とを備え、前記袋状体の後面の一部に、他の部分より剛性が強い剛体部を設けた電気掃除機用集塵フィルター。
【請求項２】
剛体部を、袋状体の一部を溶着して形成する請求項１に記載の電気掃除機用集塵フィルター。
【請求項３】
袋状体を複数の樹脂不織布で形成し、剛体部を、前記複数の樹脂不織布間に配置した請求項１又は２に記載の電気掃除機用集塵フィルター。
【請求項４】
吸引風を発する塵埃吸引用の電動送風機と、請求項１〜３のいずれか１項に記載された電気掃除機用集塵フィルターを収納する集塵室を備えた電気掃除機。
【発明の詳細な説明】
【技術分野】
【０００１】
本発明は、電気掃除機用集塵フィルター及びそれを用いた電気掃除機に関するものである。
【背景技術】
【０００２】
従来の電気掃除機用集塵フィルターは、紙からなる濾材で袋状に形成された袋状体を備えたものが主であり、その袋状体全体は、ほぼ均一の剛性で作られていた  （例えば、特許文献１参照）。
【特許文献１】実開昭５８−１８１３６０号公報（実願昭５７−８０９１２号のマイクロフイルム）
【発明の開示】
【発明が解決しようとする課題】
【０００３】
しかしながら、上記従来の電気掃除機用集塵フィルターの構成では、塵埃の種類や入り方によって、袋状体の広がり方がまちまちであり、電気掃除機用集塵フィルターの容積を効果的に活用できないといった課題があった。
【０００４】
本発明は、上記従来の課題を解決するもので、集塵量の多い電気掃除機用集塵フィルターおよびそれを用いた電気掃除機を提供することを目的とする。
【課題を解決するための手段】
【０００５】
上記従来の課題を解決するために本発明は、通気性および可撓性を有する樹脂不織布で形成され吸入口を有する袋状体と、前記吸入口に取り付けられ塵埃吸込口を有する支持板とを備え、前記袋状体の後面の一部に、他の部分より剛性が強い剛体部を設けたもので、電気掃除機の運転開始時の吸引風によって袋状体の後面の一部が後方に押されると、剛体部により、同袋状体の後面全体が後方に押されて、袋状体を大きく広げることができ、それにより、より多くの塵埃を集塵できるようになる。
【０００６】
又、本発明の電気掃除機は、吸引風を発する塵埃吸引用の電動送風機と、請求項１〜３のいずれか１項に記載された電気掃除機用集塵フィルターを収納する集塵室を備えたもので、電気掃除機の運転直後に集塵フィルターを最大限広げて、塵埃を沢山集塵できる電気掃除機を提供することが出来る。
【発明の効果】
【０００７】
上記発明によれば、電気掃除機の運転直後に集塵フィルターを最大限広げることができるので、塵埃を沢山集塵できる電気掃除機用集塵フィルター及び電気掃除機を提供することが出来る。
【発明を実施するための最良の形態】
【０００８】
第１の発明は、通気性および可撓性を有する樹脂不織布で形成され吸入口を有する袋状体と、前記吸入口に取り付けられ塵埃吸込口を有する支持板とを備え、前記袋状体の後面の一部に、他の部分より剛性が強い剛体部を設けたもので、電気掃除機の運転開始時の吸引風によって袋状体の後面の一部が後方に押されると、剛体部により、同袋状体の後面全体が後方に押されて、袋状体を大きく広げることができ、それにより、より多くの塵埃を集塵できるようになる。
【０００９】
第２の発明は、特に、第１の発明の剛体部を、袋状体の一部を溶着して形成するもので、別部品を使わずに、安価に剛体部を袋状体に形成できるものである。
【００１０】
第３の発明は、特に、第１又は第２の袋状体を複数の樹脂不織布で形成し、剛体部を、前記複数の樹脂不織布間に配置したもので、袋状体の材質に左右されることなく剛体部の剛性を確保することができ、集塵フィルターの広がりに対し、信頼性の高い集塵フィルターを提供できるものである。
【００１１】
第４の発明は、吸引風を発する塵埃吸引用の電動送風機と、請求項１〜３のいずれか１項に記載された電気掃除機用集塵フィルターを収納する集塵室を備えたもので、電気掃除機の運転直後に集塵フィルターを最大限広げて、塵埃を沢山集塵できる電気掃除機を提供することが出来る。
【００１２】
以下、本発明の実施の形態について、図面を参照しながら説明する。なお、この実施の形態によりこの発明が限定されるものではない。
【００１３】
（実施の形態１）
図１は、本発明の第１の実施の形態における電気掃除機用集塵フィルターを装着した電気掃除機の断面図、図２は、同電気掃除機用集塵フィルターの正面図、図３は、同掃除機用集塵フィルターの断面図（図２のＡ−Ａ断面）である。
【００１４】
図１〜図３において、電気掃除機の本体１は、吸引風を発生させる電動送風機２と、電動送風機２の吸引風の上流側に配され、本実施の形態における電気掃除機用集塵フィルター３（以下、「集塵フィルター３」という）を収納するための集塵室４を設けている。
【００１５】
次に集塵フィルター３の詳細について説明する。
【００１６】
集塵フィルター３は、２枚の通気性および可撓性を有する樹脂不織布を重ねて、超音波溶着部５を超音波溶着し接合して袋状に形成した袋状体６と、袋状体６に設けられた吸入口７と、吸入口７に取り付けられ塵埃吸込口８を有する支持板９とから構成され、袋状体６を形成する後面部には、四角くつながった溶着部１０を設けている。
【００１７】
上記構成により、四角くつながった溶着部１０が、袋状体６の他の部分よりも剛性が強い剛体部となる。
【００１８】
以上のように構成された集塵フィルター３及び電気掃除機について、以下その動作、作用を説明する。
【００１９】
本体１を運転すると電動送風機２が回転し、その吸引風により塵埃が、集塵フィルター３の支持板９の塵埃吸込口８を通り集塵フィルター３内に捕集される。
【００２０】
この際、吸引風によって袋状体６の後面が押されるが、一部分が押されることで、溶着部１０で繋がった後面全体を押し下げることができる。すなわち、袋状体６の後面全体を押し下げることで、集塵フィルター３を集塵室４の全体に均一に広げ、沢山の塵埃を集塵できるものである。
【００２１】
（実施の形態２）
図４は、本発明の第２の実施の形態における電気掃除機用集塵フィルターの正面図、図５は、同掃除機用集塵フィルターの断面図（図４のＢ−Ｂ断面）である。なお、上記実施の形態１と同一部分については同一符号を付してその説明を省略する。
【００２２】
本実施の形態における集塵フィルター３の基本構成は、上記第１の実施の形態と同じで、２枚の通気性および可撓性を有する樹脂不織布を重ねて、超音波溶着部５を超音波溶着し接合して袋状に形成されると共に吸入口７を有する袋状体６と、吸入口７に取り付けられ塵埃吸込口８を有する支持板９とで形成されている。
【００２３】
そして本実施の形態では、袋状体６の後面の２枚の樹脂不織布の間に、剛体部となる格子状の樹脂枠１１を挟んだものである。
【００２４】
以上のように構成された本実施の形態における集塵フィルター３の動作、作用を説明する。
【００２５】
掃除機本体１を運転すると電動送風機２が回転し、その吸引風により塵埃が塵埃吸込口８を通り、集塵フィルター３の袋状体６内に捕集される。
【００２６】
この際、吸引風によって袋状体６の後面が押されるが、一部分が押されることで、樹脂枠１１全体を押し下げることができる。すなわち、袋状体６の後面全体を押し下げることで、集塵フィルター３を集塵室４全体に均一に広げ、沢山の塵埃を集塵できるものである。
【００２７】
また、樹脂枠１１を別部品とすることで、集塵フィルター３の材質に合わせた適当な枠部材／形状で対応することができるものである。
【００２８】
以上のように、本実施の形態における集塵フィルター３は、電気掃除機の運転直後に、容易に最大限に広げられるので、集塵容量の大きな電気掃除機用集塵フィルター及び電気掃除機を提供することが出来るものである。
【産業上の利用可能性】
【００２９】
以上のように、本発明にかかる電気掃除機用集塵フィルター及び電気掃除機は、集塵容量が大きく、使い勝手を向上させることができるため、家庭用、業務用等の各種電気掃除機に特に有用である。
【図面の簡単な説明】
【００３０】
【図１】本発明の実施の形態１における電気掃除機用集塵フィルターを装着した電気掃除機の断面図
【図２】同電気掃除機用集塵フィルターの正面図
【図３】図２のＡ−Ａ断面図
【図４】本発明の実施の形態２における電気掃除機用集塵フィルターの正面図
【図５】図４のＢ−Ｂ断面図
【符号の説明】
【００３１】
３    電気掃除機用集塵フィルター（集塵フィルター）
５    超音波溶着部
６    袋状体
７    吸入口
８    塵埃吸込口
９    支持板
１０  溶着部（剛体部）
【図１】
2008061923.tif 000003
【図２】
2008061923.tif 000004
【図３】
2008061923.tif 000005
【図４】
2008061923.tif 000006
【図５】
2008061923.tif 000007